(57)【要約】【課題】  人力だけで簡単に操作でき、杭を長手方向に引き抜くことにより引き抜き抵抗を最小化し、かつ、人が手に持って移動できる軽量な杭抜きを提供する。【解決手段】  本発明の杭抜きは、打設された杭の地上露出部Ｘを挿通する空間１を有するベース２に立設されたラック３に添って進退動自在なケーシング４と、該ケーシング４に回転自在に取付けられ、前記ラック３の歯と歯合するピニオン７の歯と歯合する複数の歯送り爪１０ａの何れをピニオン７と歯合させるかを選択して切替える切替えピン１１を有するラチェット１０と、前記ケーシング４に先端部が挿入されかつ先端に回転自在に取付けられたピニオン７の軸と同一軸８により回動自在に取付けられ、前記ラチェット１０が先端部に回動自在に取り付けられたハンドル９と、該ケーシング４に回動自在に取付けられた解除レバー１２ａつきケーシング位置保持部材１２と、該ケーシング４に着脱自在に取付けられ、杭の地上露出部Ｘを係止する係止突起６と、を有することを特徴とする。【選択図】      図１
2007297800.tif 000002
【特許請求の範囲】
【請求項１】
地中に打設された杭の地上露出部を挿通する空間を有するベースと、
該ベースに立設されたラックと、
該ラックを挿通する空間を有し、ラックに添って進退動自在なケーシングと、
該ケーシングに回転自在に取付けられ、前記ラックの歯と噛み合うピニオンと、
該ピニオンの歯と噛み合う複数の歯送り爪と該複数の歯送り爪の何れをピニオンと歯合させるかを選択して切替える切替えピンを有するラチェットと、
前記ケーシングに先端部が挿入されかつ先端に回転自在に取付けられたピニオンの軸と同一軸により回動自在に取付けられ、前記ラチェットが先端部に回動自在に取り付けられたハンドルと、
該ケーシングに回動自在に取付けられた解除レバーつきケーシング位置保持部材と、
該ケーシングに取付けられ或は着脱自在に取付けられ、地中に打設された杭の地上露出部を係止する係止部材と、
を有することを特徴とする杭抜き。
【請求項２】
前記係止部材が、チェーンであり、該チェーンの一端が前記ケーシングに取付けられ、チェーンの任意の位置がケーシングに取付けられた係止突起に着脱自在に取付けられることを特徴とする請求項１記載の杭抜き。
【請求項３】
前記係止部材が、チェーンであり、該チェーンの任意の複数の位置がケーシングに取付けられた係止突起に着脱自在に取付けられることを特徴とする請求項１記載の杭抜き。
【発明の詳細な説明】
【技術分野】
【０００１】
本発明は、杭抜きに関し、地中に打設された杭を手動で抜く軽量な杭抜きに関する。
【背景技術】
【０００２】
従来、手動の杭抜き具として特開２００１−３２２７８（特許文献１）があった。この杭抜き具は、地中に打ち込まれた杭を簡単に引き抜くための器具であり、柄の下部に２枚の三角形の板からなる支持部材を固定し、この柄の真下の支持部材にローラを回転自在に支持している。この支持部材の先端には顎体を上下に回動自在に連結し、顎体は本体から後方に向って２本のアイピースが延びており、それらアイピースの間に支持部材を挿入し、一方のアイピースから支持部材を貫いてボルトを通し、ボルトの先端を他方のアイピースのねじ孔にねじ込んである。顎体の本体は、前顎と後顎を備え、両顎の間の口は横に開いており、上から見るとコの字形をしている。この杭抜き具は、地中に打ち込まれた杭の地上の露出部を前顎と後顎の間に挟んだ状態で梃子の作用を利用して柄を後方に倒して杭を引き抜くものである。
【特許文献１】特開２００１−３２２７８号公報
【発明の開示】
【発明が解決しようとする課題】
【０００３】
しかしながら、前記特許文献１の杭抜き具は、人力で杭を引き抜く器具であるが、地中に打設した杭の地上の露出部を前顎と後顎の間に挟んだ状態で柄を後方に倒して杭を引き抜くと、真直ぐな杭全体が円弧を描くようにして引き抜かれるため、引き抜き抵抗が大きく大変な労力を必要とし、太目の杭や埋設部分が長い杭を引き抜く作業ほど容易でなかった。
【０００４】
本発明は、人力だけで簡単に操作でき、杭を長手方向に引き抜くことにより引き抜き抵抗を最小化し、かつ、人が手に持って移動できる軽量な杭抜きを提供するものである。
【課題を解決するための手段】
【０００５】
本発明の杭抜きは、地中に打設された杭の地上露出部を挿通する空間を有するベースと、該ベースに立設されたラックと、該ラックを挿通する空間を有し、ラックに添って進退動自在なケーシングと、該ケーシングに回転自在に取付けられ、前記ラックの歯と噛み合うピニオンと、該ピニオンの歯と噛み合う複数の歯送り爪と該複数の歯送り爪の何れをピニオンと噛み合わせるかを選択して切替える切替えピンを有するラチェットと、前記ケーシングに先端部が挿入されかつ先端に回転自在に取付けられたピニオンの軸と同一軸により回動自在に取付けられ、前記ラチェットが先端部に回動自在に取り付けられたハンドルと、該ケーシングに回動自在に取付けられた解除レバーつきケーシング位置保持部材と、該ケーシングに取付けられ或は着脱自在に取付けられ、地中に打設された杭の地上露出部を係止する係止部材と、を有することを特徴とする。
【０００６】
上記杭抜きの係止部材をチェーンで形成し、該チェーンの一端が前記ケーシングに取付け、チェーンの任意の位置をケーシングに取付けられたチェーン係止部に着脱自在に取付けたり、チェーンで形成した係止部材の任意の複数の位置をケーシングに取付けられたチェーン係止部に着脱自在に取付けることもできる。
【発明の効果】
【０００７】
本発明の杭抜きは、ラックの歯と噛み合うピニオンを有し、ピニオンの回転方向を切替える切替えピンつきのラチェットを有している。この切替えピンによりピニオンが上方向に転動する方の歯送り爪をピニオンと噛み合わせ、ハンドルを上下動すると、ピニオンが上方に転動するに従いケーシングも上方に移動する。上方に移動したケーシングは、ケーシングに回動自在に取付けられた解除レバーつきケーシング位置保持部材によって転動したピニオンの上方の位置で保持される。係止部材或はチェーンで形成した係止部材によって杭の地上露出部がケーシングに取付けられているからケーシングの上方移動にしたがって地中に埋設された杭が引き抜かれる。以上のように、ハンドルを単に上下動させるだけで地中深く打設された杭を引き抜く作業はいたって軽作業であるから労力も少なくて済む。また、上記のようにして引き抜かれる杭は、ラックとほぼ平行に位置しているので、引き抜き抵抗も最小限であり、結果としてハンドル操作も楽であるから体力の消耗も少ない。
【０００８】
上記構成のように簡単な構成でかつ付属物もなく、ラックの長さが５０センチメートル程度あれば、地中埋設部の長さが１ｍや２ｍの杭でも引き抜け、大変軽量で持ち運びが容易にできる（図示した試作品は、ベース：巾２００×長さ４００×高さ３０、ラック長５００、ハンドル長さ４００ｍｍ、重量５ｋｇ）。今一つ重要なことは、ベースの空間の上方すなわち引き抜く杭の上方には、杭が当接する障害物がないため、ラックの数倍の長さの杭であっても安心して引き抜くことができることである。
【発明を実施するための最良の形態】
【０００９】
以下、本発明の実施の形態を添付図面を参照して説明する。図１〜図３は、本発明を実施する形態の例を示す。
【００１０】
図示したように、ベース２は、地中に打設された杭の地上露出部Ｘを挿通する空間１を有する。図では、ベース２をコ状に形成し、中央の空間１を杭の地上露出部Ｘを挿通する空間１としているが、杭の地上露出部Ｘを挿通できる空間１であれば如何なる形状の空間１であっても良い。また、ベース２自体の形状や材質についても図示した形状や材質に拘るものではない。このベース２の後端部にほぼ垂直なラック３を立設する。ラック３の歯３ａは、後方に向けたほうが杭抜き作業がしやすく、側方に向けることもできるが、前方に向けると全面的に構造を変更しなければ杭抜き作業ができなくなる。
【００１１】
ケーシング４は、ラック３を挿通する空間４ａを有し、ラック３に添って進退動自在である。このケーシング４は、主に横断面がコ状に形成されており、上方部に隔壁４ｂを設けることによりラック３を挿通したケーシング４が揺動しないようになっている。また、ケーシング４の前方部には、係止部材としてのチェーン５（図２参照）の任意の２箇所のリンクをワンタッチで係止できるように先端が細い係止突起６が２個突設されている。しかし、１個の係止突起であってもチェーン５の任意の２箇所のリンクをワンタッチで係止できればよい。この係止部材としてのチェーン５は、地中に打設された杭の地上露出部Ｘに２〜３回絡げた上でチェーン５の任意の２箇所のリンクをワンタッチで係止することにより杭の地上露出部Ｘをケーシング４に取付けるものである。
【００１２】
なお、係止部材としてのチェーン５は、係止突起６に着脱自在な１本のチェーン５として図示し説明しているが、チェーン５の一端をケーシング４に固着し、チェーン５の任意のリンクをケーシング４に突設した係止突起６にワンタッチで係止するなどの方法を取ることもできる。また、係止部材は、チェーンに拘るものではなく、ワイヤーやロープ、テープなどであっても良く、曲折自在なチェーン、ワイヤー、ロープ、テープ以外でも、杭の地上露出部Ｘを握持できる構成とすることもでき、その１例として他の実施例を後述する。
【００１３】
前記ラック３の歯３ａと噛み合うピニオン７は、ピニオン７の軸８の両端をケーシング４に回転自在に取り付けており、同時にハンドル９の先端にも回動自在に取付けられている。ハンドル９の先端部にはピニオン７の歯と噛み合うピニオン７の回転方向を決める２個の歯送り爪１０ａと、この２個の歯送り爪１０ａを両端に備え、いずれか一方をピニオン７の歯と歯み合わせるように切替えるための切替えピン１１を備えたラチェット１０が回動自在に取付けられている。この切替えピン１１は、ラチェット１０をハンドル９の外部から操作できる位置に設けられ、この切替えピン１１の切替えによりピニオン７の回転方向が切替えられるようになっている。
【００１４】
上記ケーシング４内のピニオン７の上方には、位置保持部材１２が回動自在に取付けられている。この位置保持部材１２はラック３の歯３ａと噛み合ってケーシング４の位置を保持する解除レバー１２ａを有する。ハンドル９を持ち上げると解除レバー１２ａの後端が押され、解除レバー１２ａの先端がラック３の歯３ａから外れるようになっている。ハンドル９の先端部を上から下に向けて揺動することによってピニオン７がラック３の上方に向かって転動し、下から上に向けて揺動するときはピニオン７が回転しないように切替ピン１１がセットされており、ピニオン７の間欠的な転動に従いケーシング４が上方に移動する。なお、ラック３の上端部には、上限ストッパー１３が水平方向に向けて突設されており、ケーシング４がラック３から抜け出て外れないようになっている。
【００１５】
上記構成の杭抜きの操作方法を説明する。ケーシング４がラック３の下方に位置していないとき、先ず初めにラチェット１０の回転方向を切替えるため切替えピン１１を移動させてピニオン７の回転方向を切替える。次いでハンドル９を上方向に回動して位置保持部材１２の解除レバー１２ａを押圧して解除レバー１２ａの先端をラック３の歯３ａから外して位置保持部材１２を解除する。この状態でハンドル９を下方に押すと、ケーシング４がラック３の下方に押し下げられる。ケーシング４がラック３の下方に押し下げられたら地中に打設された杭の地上露出部Ｘに係止部材としてのチェーン５を２〜３回絡げた上でチェーン５の任意の２箇所のリンクをケーシング４に突設した係止突起６に係止する。引き続き、先に切替えた切替えピン１１を元の位置に戻し、ハンドル９を上下方向に回動させるとピニオン７が上方に転動してケーシング４の位置は順次上方に移動し、ケーシング４の位置は解除レバー１２ａがラック３の歯３ａに噛み合うことで保持される。また、ケーシング４の移動に従ってチェーン５に地上露出部Ｘを係止された杭の全体が地中から抜けていく。杭が抜け終わったらケーシング４の係止突起６からチェーン５を外し、続いて杭の地上露出部Ｘからチェーン５を外し、切替えピン１１を切り替えてケーシング４をラック３の最下端まで移動する。
【００１６】
上記の簡単な操作で杭を抜く本発明の杭抜きは、さほど体力を使わなくとも容易に杭を抜くことができるのみならず、係止部材としてのチェーン５に係止した杭の地上露出部Ｘを杭の長さ方向の上方に引き上げる構造になっているから杭を抜くときの抵抗も少なく、杭の地中埋設部が長くとも使用できる。また上記構造の杭抜きは、構造が簡単であり、ベースが２００×４００×３０ｍｍのベース２と、高さ５００ｍｍのラック３で作った金属製杭抜きの重量は、わずか５ｋｇという軽さで、片手で簡単に持ち運べる重さであった。
【００１７】
図４では、係止部材としてのチェーン５の代わりに杭の地上露出部Ｘを握持できる構成の係止部材の１例を説明する。ケーシング４の前方下部に横断面Ｖ型の受け板１５を取付ける。この受け板１５の両端部に前方に向かってねじ付ボルト１６を突設する。この両端部のねじ付ボルト１６に進退動自在に挿通される押え板１７を取付け、ねじ付ボルト１６にナット１８を螺着する。なお、本実施例では、ねじ付ボルト１６を介して受け板１５と押え板１７により杭の地上露出部Ｘを握持できる構成の係止部材で示したが、一端が開閉自在な筒体を初め様々な構成の係止部材とすることもできる。
【００１８】
上記構成の杭抜きは、杭の地上露出部Ｘを受け板１５と押え板１７の間に挿入し、ねじ付ボルト１６に螺着されたナット１８を締め付けることによりケーシング４の前方に杭の地上露出部Ｘを固定するものであり、これ以外の作用は、前記実施例と同様である。
【００１９】
尚、本発明の杭抜きは、実施例で尚書きした形状も含め上記実施例に限定されることなく、ラックとピニオンとラチェットを構成に備えていれば、如何なる形状の係止部材であっても使用できる。
【産業上の利用可能性】
【００２０】
本発明の杭抜きは、田畑や工事現場などあらゆる場所の地中に打設された杭を手作業で抜き取ることのできる手動冶具である。
【図面の簡単な説明】
【００２１】
【図１】本発明の杭抜きを示す斜視図である。
【図２】本発明の杭抜きを使い杭の地上露出部にチェーンを巻きつけた状態を示す要部拡大斜視図である。
【図３】本発明の杭抜きの要部を示す拡大断面図である。
【図４】本発明の杭抜きの異なる実施例を示す要部拡大斜視図である。
【符号の説明】
【００２２】
Ｘ          杭の地上露出部
１          杭の地上露出部を挿通する空間
２          ベース
３          ラック
３ａ        ラックの歯
４          ケーシング
４ａ        ラックを挿通する空間
４ｂ        ケーシングの隔壁
５          係止部材としてのチェーン
６          係止突起
７          ピニオン
８          ピニオンの軸
９          ハンドル
１０        ラチェット
１０ａ      ピニオンの回転方向を決める歯送り爪
１１        反転防止部材の切替えピン
１２        解除レバーつき位置保持部材
１２ａ      位置保持部材の解除レバー
１３        上限ストッパー
１５        受け板
１６        ねじ付ボルト
１７        押え板
１８        ナット
【図１】
2007297800.tif 000003
【図２】
2007297800.tif 000004
【図３】
2007297800.tif 000005
【図４】
2007297800.tif 000006